(57)【要約】【課題】機器の小型化、軽量化を図ると共に、正確な時刻をもとにした処理動作を実件することを可能にする。【解決手段】クレードル１１は、時刻を計時するＲＴＣ（Real Time clock）（または電波時計）と、デジタルスチルカメラ１０が接続された場合にＲＴＣによって計時されている時刻を示す時刻データをデジタルスチルカメラ１０に送信する機能を有している。デジタルスチルカメラ１０は、クレードル１１と接続された場合に、クレードル１１から送信される時刻データを受信し、この時刻データを受信したタイミングでカウントを開始し、現在時刻が必要となった場合に、カウントされた値とクレードル１１から受信した時刻データが示す時刻をもとに現在時刻を算出して用いる。【選択図】      図１
2005140686.tif 000002
【特許請求の範囲】
【請求項１】
クレードル装置と、同装置に載置されることで接続される携帯電子機器とを有する携帯電子機器システムにおいて、
前記クレードル装置は、
時刻を計時する計時手段と、
携帯電子機器が接続された場合に、前記計時手段によって計時されている時刻を示す時刻データを前記携帯電子機器に送信する時刻送信手段とを具備し、
前記携帯電子機器は、
前記クレードル装置と接続された場合に、前記クレードル装置から前記時刻送信手段によって送信される時刻データを受信する時刻受信手段と、
前記時刻受信手段に時刻データを受信したタイミングでカウントを開始するカウント手段と、
前記カウント手段によってカウントされる値、及び前記時刻受信手段によって受信した時刻データが示す時刻をもとに現在時刻を算出する時刻算出手段とを具備したことを特徴とする携帯電子機器システム。
【請求項２】
前記クレードル装置は、前記携帯電子機器が接続された場合に、前記携帯電子機器に対して割り込み起動をすることを特徴とする請求項１記載の携帯電子機器システム。
【請求項３】
前記携帯電子機器の前記時刻算出手段は、現在時刻が必要となった場合に現在時刻を算出することを特徴とする請求項１記載の携帯電子機器システム。
【請求項４】
クレードル装置と接続可能な携帯電子機器において、
前記クレードル装置と接続された場合に、前記クレードル装置から送信される時刻データを受信する時刻受信手段と、
前記時刻受信手段に時刻データを受信したタイミングでカウントを開始するカウント手段と、
前記カウント手段によってカウントされる値、及び前記時刻受信手段によって受信した時刻データが示す時刻をもとに現在時刻を算出する時刻算出手段とを具備したことを特徴とする携帯電子機器。
【請求項５】
クレードル装置と接続可能な携帯電子機器に内蔵されたコンピュータが実行するプログラムであって、
コンピュータを、
前記クレードル装置と接続された場合に、前記クレードル装置から送信される時刻データを受信する時刻受信手段と、
前記時刻受信手段に時刻データを受信したタイミングでカウントを開始するカウント手段と、
前記カウント手段によってカウントされる値、及び前記時刻受信手段によって受信した時刻データが示す時刻をもとに現在時刻を算出する時刻算出手段として機能させるためのプログラム。
【発明の詳細な説明】
【技術分野】
【０００１】
本発明は、時刻に基づく処理動作を実行するデジタルスチルカメラ等に好適な携帯電子機器システム、携帯電子機器、携帯電子機器及びプログラムに関する。
【背景技術】
【０００２】
近年のデジタルスチルカメラ等の携帯電子機器は、クレードルを用いてデスクトップパソコンなどの他の情報機器と接続し、データの送受信や同期を行ったり、充電などを行うことができるようになっている。クレードルを用いることで、ケーブルで接続するより安定感があり、ユーザー側の手順を簡単にすることができる。
【０００３】
さらに、近年では、携帯電話機の本体とデータのやりとりを行うことで充電器（クレードル）の付加価値を高めるため、例えば充電器で管理している正確な時刻データを携帯電話機に転送することができる充電器が考えられている（例えば特許文献１）。
【特許文献１】特開平１０−１７８７４５号公報
【発明の開示】
【発明が解決しようとする課題】
【０００４】
しかしながら、従来のクレードル（充電器）では、クレードル側で管理している正確な時刻データを携帯電話機に転送し、携帯電話機が管理している現在時刻を更新、すなわち時刻データを用いて時刻合わせをするだけであった。
【０００５】
一方、デジタルスチルカメラにおいて時計に絡んだ複雑な仕様、例えば自立的なアラーム起動を実現する場合、本体に高機能なＲＴＣ（Real Time clock）を実装しなければならなかった。また、近年では、デジタルスチルカメラの小型化、軽量化が要求されているが、前述したような時計に絡んだ複雑な仕様を実現するには、ＲＴＣ用のＩＣなどの実装が必須であり、これら計時用の部品を対象として装置の小型化、軽量化を図ることができていなかった。
【０００６】
本発明は、前記のような問題に鑑みなされたもので、機器の小型化、軽量化を図ると共に、正確な時刻をもとにした処理動作を実件することが可能な携帯電子機器システム、携帯電子機器及びプログラムを提供することを目的とする。
【課題を解決するための手段】
【０００７】
請求項１の発明は、クレードル装置と、同装置に載置されることで接続される携帯電子機器とを有する携帯電子機器システムにおいて、前記クレードル装置は、時刻を計時する計時手段と、携帯電子機器が接続された場合に、前記計時手段によって計時されている時刻を示す時刻データを前記携帯電子機器に送信する時刻送信手段とを具備し、前記携帯電子機器は、前記クレードル装置と接続された場合に、前記クレードル装置から前記時刻送信手段によって送信される時刻データを受信する時刻受信手段と、前記時刻受信手段に時刻データを受信したタイミングでカウントを開始するカウント手段と、前記カウント手段によってカウントされる値、及び前記時刻受信手段によって受信した時刻データが示す時刻をもとに現在時刻を算出する時刻算出手段とを具備したことを特徴とする。
【０００８】
請求項２の発明は、請求項１記載の発明において、前記クレードル装置は、前記携帯電子機器が接続された場合に、前記携帯電子機器に対して割り込み起動をすることを特徴とする。
【０００９】
請求項３の発明は、請求項１記載の発明において、前記携帯電子機器の前記時刻算出手段は、現在時刻が必要となった場合に現在時刻を算出することを特徴とする。
【００１０】
請求項４の発明は、クレードル装置と接続可能な携帯電子機器において、前記クレードル装置と接続された場合に、前記クレードル装置から送信される時刻データを受信する時刻受信手段と、前記時刻受信手段に時刻データを受信したタイミングでカウントを開始するカウント手段と、前記カウント手段によってカウントされる値、及び前記時刻受信手段によって受信した時刻データが示す時刻をもとに現在時刻を算出する時刻算出手段とを具備したことを特徴とする。
【００１１】
請求項５の発明は、クレードル装置と接続可能な携帯電子機器に内蔵されたコンピュータが実行するプログラムであって、コンピュータを、前記クレードル装置と接続された場合に、前記クレードル装置から送信される時刻データを受信する時刻受信手段と、前記時刻受信手段に時刻データを受信したタイミングでカウントを開始するカウント手段と、前記カウント手段によってカウントされる値、及び前記時刻受信手段によって受信した時刻データが示す時刻をもとに現在時刻を算出する時刻算出手段として機能させる。
【発明の効果】
【００１２】
請求項１の発明によれば、クレードル装置に携帯電子機器が接続された場合に、クレードル装置から携帯電子機器に対して時刻データを送信し、携帯電子機器では、クレードル装置から時刻データを受信したタイミングでカウントを開始することで、クレードル装置からの時刻データが示す時刻とカウントされた値をもとに現在時刻を算出することができる。従って、携帯電子機器に時刻を計時するための部品（例えばＲＴＣ用のＩＣなど）を実装することなく、現在時刻のデータを使用することができるため、その部品分の機器の小型化、軽量化を図ることができ、またクレードル装置から提供された時刻データをもとにした正確な時刻をもとにした処理動作を実現できる。
【００１３】
請求項２の発明によれば、請求項１の発明に加えて、クレードル装置に携帯電子機器が接続された場合に、携帯電子機器の動作が停止されていたとしても、クレードル装置からの割り込み起動により起動され、現在時刻を算出するために必要となるカウントを開始することができる。
【００１４】
請求項３の発明によれば、請求項１の発明に加えて、携帯電子機器の現在時刻のデータを必要としない通常状態では、単にクレードル装置から時刻データを受信してからのカウントを継続するだけで良く、処理負担を大幅に増加させることがない。
【００１５】
請求項４の発明によれば、クレードル装置と接続された場合に、クレードル装置から時刻データを受信し、この時刻データを受信したタイミングでカウントを開始することで、クレードル装置からの時刻データが示す時刻とカウントされた値をもとに現在時刻を算出することができる。従って、時刻を計時するための部品（例えばＲＴＣ用のＩＣなど）を実装することなく、現在時刻のデータを使用することができるため、その部品分の機器の小型化、軽量化を図ることができ、またクレードル装置から提供された時刻データをもとにした正確な時刻をもとにした処理動作を実現できる。
【００１６】
請求項５の発明によれば、クレードル装置と接続された場合に、クレードル装置から時刻データを受信し、この時刻データを受信したタイミングでカウントを開始することで、クレードル装置からの時刻データが示す時刻とカウントされた値をもとに現在時刻を算出することができる。従って、時刻を計時するための部品（例えばＲＴＣ用のＩＣなど）を実装することなく、現在時刻のデータを使用することができるため、その部品分の機器の小型化、軽量化を図ることができ、またクレードル装置から提供された時刻データをもとにした正確な時刻をもとにした処理動作を実現できる。
【発明を実施するための最良の形態】
【００１７】
以下本発明をデジタルスチルカメラに適用した実施の形態について図面を参照して説明する。
【００１８】
図１は、本発明の実施の形態（第１実施形態、第２実施形態）に係るデジタルスチルカメラ１０を充電台を兼ねたクレードル１１に載置した状態の外観構成を示すものである。デジタルスチルカメラ１０は、その背面側が手前になるようにクレードル１１に載置することで、内蔵する電池の充電を実行できるだけでなく、このクレードル１１を図示しないＵＳＢ（Universal Serial Bus）ケーブルを介して例えばパーソナルコンピュータと接続することで、画像データやその他の各種データの送受が可能であるものとする。
【００１９】
デジタルスチルカメラ１０は、例えばタバコの箱程度のサイズの金属外装を有する筐体でなり、その上面に電源キー１２及びシャッタキー１３を配設する。
【００２０】
また、デジタルスチルカメラ１０の背面には、モードキー１４、光学ファインダ１５、フォーカスインジケータ１６、ストロボインジケータ１７、表示部１８、ズームキー１９、メニュー（ＭＥＮＵ）キー２０、リングキー２１、セット（ＳＥＴ）キー２２、及びディスプレイ（ＤＩＳＰ）キー２３が配設される。
【００２１】
電源キー１２は、このデジタルスチルカメラ１０の電源をオン／オフする。
【００２２】
シャッタキー１３は、撮影モード時に操作することで画像の撮影を実行する。
【００２３】
モードキー１４は、基本モードである撮影モード（ＲＥＣ）と再生モード（ＰＬＡＹ）とをスライド操作により切換えるためのキースイッチで、図では再生モード側に設定されている。
【００２４】
光学ファインダ１５は、被写体像の視野を光学的に視認するためのものである。
【００２５】
フォーカスインジケータ１６は、光学ファインダ１５の近傍に配置され、ユーザが光学ファインダ１５を除いている状態でフォーカスがロックしたことを例えば赤色のＬＥＤ（Light Emitting Diode）の点灯により表示する。
【００２６】
ストロボインジケータ１７は、光学ファインダ１５の近傍にし位置され、ユーザが光学ファインダ１５を除いている状態でストロボの充電が完了したことを例えば緑色のＬＥＤの点灯により表示する。
【００２７】
表示部１８は、バックライトを有する例えば対角２インチ程度のサイズのカラーＴＦＴ液晶パネルで構成され、撮影モードではその時点で撮影しようとしている画像をモニタ表示する一方で、再生モード時にはこのデジタルスチルカメラ１０の記録媒体であるフラッシュメモリ（後述）から読出して選択的に表示する。また、要求に応じて、現在の時刻（年月日などを含む）を表示する。
【００２８】
ズームキー１９は、撮影モード時に撮影レンズの焦点距離を望遠（Ｔ）側あるいは広角（Ｗ）側に無段階で可変させる。
【００２９】
メニューキー２０は、各種モード設定等をメニュー項目として、表示部１８に表示させる。例えば、クレードル１１を利用したアラーム機能、データ受信機能などを使用する場合に各種設定用のメニュー項目が表示される（図６〜図９を用いて説明する第２実施形態）。
【００３０】
リングキー２１は、リング状操作キーの操作位置により、表示部１８に表示される項目を上下左右各方向へ変更させるものであり、その中央に位置するセットキー２２で、選択されているメニュー項目を選択設定する。また、デジタルスチルカメラ１０をクレードル１１に載置することで、アラーム機能、データ受信機能が利用される場合には、各種表示に対して応答する場合に操作される。
【００３１】
ディスプレイキー２３は、表示部１８での表示のオン／オフを切換え、また表示部１８での表示形態を切換える。
【００３２】
また、クレードル１１には、図示するように「ＰＨＯＴＯ」キー２４、ＵＳＢキー２５と、充電（ＣＨＡＲＧＥ）インジケータ２６、及びＵＳＢインジケータ２７が設けられる他、図示しないがデジタルスチルカメラ１０の載置位置にはＵＳＢコネクタ端子が設けられる。
【００３３】
このクレードル１１にデジタルスチルカメラ１０を載置し、クレードル１１のＡＣケーブルを家庭内のコンセントに接続することで、デジタルスチルカメラ１０内に設けられる充電池の充電を行なうことができる。その際、充電を実行している際には充電インジケータ２６が点灯する。
【００３４】
また、「ＰＨＯＴＯ」キー２４を操作することで、デジタルスチルカメラ１０内に記録されている画像データを表示部１８で表示し、デジタルスチルカメラ１０及びクレードル１１を電子的なフォトスタンド（写真立て）として使用することもできるものとする。
【００３５】
加えて、デジタルスチルカメラ１０を載置したクレードル１１を、図示しないパーソナルコンピュータ等の情報機器とＵＳＢケーブルを用いて接続し、ＵＳＢキー２５を操作することで、デジタルスチルカメラ１０と該情報機器との間での画像データの転送を容易に実行できるものとする。この画像データの転送時には、ＵＳＢインジケータ２７が点灯する。なお、情報機器とデジタルスチルカメラ１０との間で画像データを転送するだけでなく、クレードル１１とデジタルスチルカメラ１０との間で映像データ、その他のデータ（時刻データ、番組表データ等）を送受信する場合にもＵＳＢが用いられる。
【００３６】
次に、図２を参照しながら、デジタルスチルカメラ１０内の回路構成について説明する。
【００３７】
撮影モードでのモニタリング状態においては、モータ（Ｍ）３１の駆動により合焦位置や絞り位置が移動される、撮影レンズを含むレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００３８】
この光電変換出力は、アナログ値の信号の状態でＲＧＢの各原色成分毎に適宜ゲイン調整された後に、サンプルホールド（Ｓ／Ｈ）回路３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ３９に出力される。
【００３９】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００４０】
制御部４２は、ＣＰＵと、後述する時刻管理機能、データ受信機能の処理を含むＣＰＵで実行される動作プログラムを固定的に記憶したＲＯＭ、及びワークメモリとして使用されるＲＡＭ等により構成される。制御部４２は、デジタルスチルカメラ１０全体の制御動作を司るもので、輝度及び色差信号のＤＲＡＭ４１へのＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。また、制御部４２は、時刻管理プログラムを実行することで時刻管理機能を実現する（第１実施形態）。制御部４２は、時刻管理機能を実行する場合に、タイマ４２ａによって、クレードル１１から時刻データを受信したタイミングからの経過をカウントする。ここでは、例えば単純に経過秒数をカウントするものとする。ただし、必ずしも経過秒数をカウントするだけでなく、カウント値をもとに時刻を算出することができれば、何れの単位でカウントすることも可能である。また、データ受信プログラムを実行することでデータ受信機能を実現し、アラーム管理プログラムを実行することでアラーム機能を実現する（後述する第２実施形態）。時刻管理機能では、デジタルスチルカメラ１０がクレードル１１に載置されることで、クレードル１１から時刻データを受信し、この時刻データを受信したタイミングでカウントを開始し、現在時刻のデータが必要となった時には、カウントされた値及びクレードル１１から受信した時刻データが示す時刻をもとに現在時刻を算出する。これにより、デジタルスチルカメラ１０内にＲＴＣ用のＩＣや電波時計など、正確な時刻を計時するために必要となる部品の実装を不要としている。データ受信機能とアラーム機能については、後述する第２実施形態において説明する。
【００４１】
なお、図示していないが、制御部４２には、デジタルスチルカメラ１０が載置されたことを検知する検知手段からのコネクト（CONNECT）信号、及びクレードル１１からの割り込み起動が指示される場合に入力（アサート）される割り込み信号（ＩＮＴ）のための信号線が接続されているものとする。
【００４２】
デジタルビデオエンコーダ４５は、輝度及び色差信号をＶＲＡＭコントローラ４３を介してＶＲＡＭ４４より定期的に読出し、これらのデータを元にビデオ信号を発生して表示部１８に出力する。
【００４３】
表示部１８は、上述したように、撮影モード時にはモニタ表示部（電子ファインダ）として機能するもので、デジタルビデオエンコーダ４５からのビデオ信号に基づいた表示を行なうことで、その時点でＶＲＡＭコントローラ４３から取込んでいる画像情報に基づく画像をリアルタイムに表示することとなる。
【００４４】
このように表示部１８にその時点での画像がモニタ画像としてリアルタイムに表示されている状態で、静止画撮影を行ないたいタイミングでキー入力部４６を構成するシャッタキー１３を操作すると、トリガ信号を発生する。
【００４５】
制御部４２は、このトリガ信号に応じてその時点でＣＣＤ３３から取込んでいる１画面分の輝度及び色差信号のＤＲＡＭ４１へのＤＭＡ転送の終了後、直ちにＣＣＤ３３からのＤＲＡＭ４１への経路を停止し、記録保存の状態に遷移する。
【００４６】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Joint Photographic Experts Group）回路４７に書込み、このＪＰＥＧ回路４７でＡＤＣＴ（Adaptive Discrete Cosine Transform：適応離散コサイン変換）、エントロピ符号化方式であるハフマン符号化等の処理によりデータ圧縮する。
【００４７】
そして、得た符号データを１画像のデータファイルとして該ＪＰＥＧ回路４７から読出し、このデジタルスチルカメラ１０の記録媒体として着脱自在に装着されるメモリカード内に封入された、不揮発性メモリであるフラッシュメモリ４８に書込む。
【００４８】
この際、フラッシュメモリ４８に書込む画像データのファイルに関しては、例えばシャッタキー１３の操作時に、時刻管理機能によって算出される現在時刻に基づく日付及び時刻の他、シリアル番号からなる所定桁数、例えば「０３０３３１１２３４０００１．ｊｐｇ」のようなファイル名が自動的に付加されて記録されるものとする。
【００４９】
例えば、ファイル名「０３０３３１１２３４０００１．ｊｐｇ」は、「（２０）０３」年「０３」月「３１」日「１２」時「３４」分に撮影した「０００１」番目のＪＰＥＧ方式で圧縮した静止画データであることを示している。
【００５０】
なお、フラッシュメモリ４８は、着脱可能なメモリカードとは別に、デジタルスチルカメラ１０に内蔵されているものとしてもよく、さらにはメモリカードと内蔵のメモリの双方を併用するものとしてもよい。
【００５１】
そして、１フレーム分の輝度及び色差信号の圧縮処理及びフラッシュメモリ４８への全圧縮データの書込み終了に伴なって、制御部４２はＣＣＤ３３からＤＲＡＭ４１への経路を再び起動する。
【００５２】
また、制御部４２にはさらに、ＵＳＢインタフェース（Ｉ／Ｆ）４９が接続される。このＵＳＢインタフェース４９は、ＵＳＢコネクタ５０を介して有線接続される外部の情報機器、例えばパーソナルコンピュータとの間で画像データその他の送受を行なう場合の通信制御、及びクレードル１１との間のデータ等の送受信の通信制御を行う。デジタルスチルカメラ１０は、ＵＳＢインタフェース４９を介して、クレードル１１からクレードル１１内で管理されている時刻データ、あるいはクレードル１１において受信されたＴＶ放送の映像や音声のデータ、インターネット等のネットワークを介して受信した画像、映像、音声やその他のデータ（番組表データなど）を取得することができる（第２実施形態）。
【００５３】
なお、キー入力部４６は、上述したシャッタキー１３の他に、電源キー１２、モードキー１４、ズームキー１９、メニューキー２０、リングキー２１、セットキー２２、及びディスプレイキー２３等から構成され、それらのキー操作に伴なう信号は直接制御部４２へ送出される。
【００５４】
しかるに、静止画像ではなく動画像の撮影時においては、キー入力部４６のシャッタキー１３が操作され続けている間、上述した静止画像データのＤＲＡＭ４１への記録を時間的に連続して実行し、該シャッタキー１３の操作が終わるか、または所定の制限時間、例えば３０秒が経過した時点でそれら一連の静止画データを順次ＪＰＥＧ回路４７でデータ圧縮した後、データ圧縮した一連の静止画データを含むモーションＪＰＥＧの動画データファイルを生成し、フラッシュメモリ４８に記録する。なお、デジタルスチルカメラ１０がクレードル１１に接続された状態では、クレードル１１から送信される映像データについて、前述したキー操作によらず、同様にしてフラッシュメモリ４８に記録することができるものとする。
【００５５】
また、再生モード時には、制御部４２がフラッシュメモリ４８に記録されている画像データを選択的に読出し、ＪＰＥＧ回路４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、表示部１８で再生出力させる。なお、デジタルスチルカメラ１０がクレードル１１と接続されている状態では、クレードル１１からの割り込み起動によりスライドショー処理が起動され、前述と同様にして画像データが読み出されて表示部１８に再生出力されるものとする。
【００５６】
選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【００５７】
次に、図３でクレードル１１内の回路構成について示す。クレードル１１は、このクレードル１１全般の制御を司る制御部５１を中心として、この制御部５１にＵＳＢインタフェース（Ｉ／Ｆ）５２、充電制御部５３、キー入力部５４、インジケータ部５５、ＲＴＣ５６（あるいは電波時計部５６ａ）、表示部５７を接続して構成される。なお、クレードル１１には、正確な時刻を計時することが可能な、ＲＴＣ５６あるいは電波時計部５６ａの何れか一方が設けられていれば良い。
【００５８】
制御部５１は、ＣＰＵと、ＣＰＵで実行される各種動作プログラムを固定的に記憶したＲＯＭ、及びワークメモリとして使用されるＲＡＭ等により構成されるもので、ＲＴＣ５６あるいは電波時計部６０により時刻を管理しており、ＵＳＢコネクタ６２を介して接続されたデジタルスチルカメラ１０（携帯電子機器）に対して、時刻データを送信することができる。なお、図示していないが、デジタルスチルカメラ１０がクレードル１１に載置されたことを検知する検知手段からのコネクト（CONNECT）信号、及びデジタルスチルカメラ１０に対して割り込み起動をする場合に出力（アサート）する割り込み信号（ＩＮＴ）のための信号線も設けられているものとする。
【００５９】
ＵＳＢインタフェース５２は、ＵＳＢケーブル５６を介して外部に接続される図示しないパーソナルコンピュータ等の情報機器と、ＵＳＢコネクタ５７に接続されるデジタルスチルカメラ１０との間で送受される画像データ等の転送制御を行なう。また、制御部５１からデジタルスチルカメラ１０に対する時刻データ等の転送制御を行う。
【００６０】
充電制御部５３は、ＡＣコード５８を介してＡＣプラグ５９を図示しない家庭内のコンセントに接続した場合に得られるＡＣ電源を整流し、このクレードル１１内の各回路へ必要な電圧の直流電源に変圧して供給する一方で、このクレードル１１に載置されるデジタルスチルカメラ１０へＵＳＢコネクタ５７の電力線を介してデジタルスチルカメラ１０へ充電用の直流電源を供給する。
【００６１】
キー入力部５４は、「ＰＨＯＴＯ」キー２４及びＵＳＢキー２５からなり、これらのキー入力は制御部５１へ直接入力される。
【００６２】
インジケータ部５５は、充電インジケータ２６及びＵＳＢインジケータ２７からなり、制御部５１からの制御信号に基づいて点灯発光する。
【００６３】
表示部５７は、クレードル１１の筐体外部に設けられる小型の液晶ディスプレイであり、各種処理を実行する際にメッセージなどを表示する。
【００６４】
ＲＴＣ５６は、発振器をもとにして計時を行い日付時刻のデータ（時刻データ）を出力するもので、例えば後述する図４に示すように構成させる。
【００６５】
電波時計部６０は、送信所から発信される時刻情報を含む標準電波をアンテナ６０ａにより受信し、時刻情報を解析して、この時刻情報に基づいて自動修正する機能を有する時計である。
【００６６】
図４は、クレードル１１に設けられるＲＴＣ５６の構成の一例を示すブロック図である。
【００６７】
図４において、基準クロックを発振するクロック発振器５６ａからクロック信号が分周回路５６ｂに供給される。クロック発振器５６ａからのクロック信号は、分周回路５６で適宜分周されて１秒間１パルス（１Ｐ／１Ｓ）の計時クロック信号として出力される。
【００６８】
計時クロック信号は、直列的に配置した１０進、６進、１０進、６進、１２進の計数回路５６ｃ１，５６ｃ２，５６ｃ３，５６ｃ４，５６ｃ５で順次計数分周する。計数回路５６ｃ１，５６ｃ２の計数値は、時刻「秒」の単位に対応するようになり、計数回路５６ｃ３，５６ｃ４は「分」の単位を、計数回路５６ｃ５では「時」の単位をそれぞれ刻時計数するようになる。すなわち、計数回路５６ｃ１〜５６ｃ５は、時刻計数回路５６ｃを構成するようになるもので、「分」及び「時」の計数回路５６ｃ１〜５６ｃ５の計数信号（時刻信号）が出力される。
【００６９】
また、計数回路５６ｃ１〜５６ｃ５の計数信号は、比較回路５６ｄにも出力され、例えばアラーム機能の計数器（図示せず）からの計数信号と比較し、一致した時に一致信号出力を得るようにされる。さらに、時刻計数回路５６ｃには、訂正信号が入力され、時刻修正操作が行われるようになっている。  
これにより、クレードル１１では正確な時刻を計時することができる。
【００７０】
（第１実施形態）  
次に、第１の実施形態における動作について説明する。  
第１実施形態では、クレードル１１は、ＲＴＣ５６（あるいは電波時計５７）により計時されている時刻を示す時刻データをデジタルスチルカメラ１０に送信し、デジタルスチルカメラ１０は、時刻管理機能により、時刻データを受信したタイミングでタイマ４２ａによりカウントを開始し、デジタルスチルカメラ１０において現在時刻のデータが必要な場合には、クレードル１１からの時刻データとタイマ４２ａによりカウントされたカウント値をもとに現在時刻を算出する。
【００７１】
図５には、第１実施形態における時刻管理機能を実行する場合のクレードル１１とデジタルスチルカメラ１０における動作を説明するためのフローチャートを示している。
【００７２】
まず、クレードル１１の制御部５１は、デジタルスチルカメラ１０が接続されたことをＣＯＮＮＥＣＴ信号線がＨｉｇｈ→Ｌｏｗになることで認識すると（ステップＡ１）、デジタルスチルカメラ１０に対して割り込み信号（ＩＮＴ）をアサートする（Ｈｉｇｈ→Ｌｏｗ）（ステップＡ２）。ここでは、デジタルスチルカメラ１０は、例えば充電池の充電を行なうために、動作が停止されている状態で載置されたものとする。
【００７３】
デジタルスチルカメラ１０の制御部４２は、クレードル１１からの割り込み信号を受けると起動する。クレードル１１の制御部５１は、起動要因を示すデータをデジタルスチルカメラ１０に対して送信し（ステップＡ３）、デジタルスチルカメラ１０は、クレードル１１から送信された起動の要因を示すデータを受信する（ステップＢ１）。
【００７４】
デジタルスチルカメラ１０の制御部４２は、クレードル１１から起動要因を示すデータを受信すると、このデータをもとにして起動要因を判定する（ステップＢ２）。ここで、起動要因がクレードル１１への接続による起動でない場合には、その他の起動要因に基づく他の処理を実行する。
【００７５】
一方、起動要因がクレードル１１への接続による起動であったならば、ステップＢ３に進む。
【００７６】
この場合、クレードル１１は、デジタルスチルカメラ１０に対してＲＴＣ５６（あるいは電波時計部５６ａ）によって計時されている時刻を示す時刻データをデジタルスチルカメラ１０に対して送信する（ステップＡ４）。デジタルスチルカメラ１０は、デジタルスチルカメラ１０から送信される時刻データ、すなわちクレードル１１において計時されている現在時刻を受信する（ステップＢ３）。
【００７７】
デジタルスチルカメラ１０の制御部４２は、クレードル１１から受信した時刻データを記憶すると共に（ステップＢ４）、タイマ４２ａをリセットして（ステップＢ５）、カウントアップを開始する（ステップＢ６）。すなわち、クレードル１１から時刻データを受信してからの経過（例えば経過秒数）をカウントする。こうして、クレードル１１に接続されて時刻データを受信するたびに、タイマ４２ａをリセットしてカウントを開始するので、クレードル１１で正確に計時されている時刻に時刻合わせが行われることになる。制御部４２は、タイマ４２ａに対するカウントアップを継続していく。
【００７８】
一方、制御部４２は、現在の時刻表示の要求があった場合（ステップＢ７）、例えば撮影モードや再生モードが指定されて、その時の表示画面中に現在時刻の表示が必要な場合、あるいは撮影モードにおいてシャッタキー１３が操作されることで静止画の撮影が行われ、撮影画像と共に現在時刻（撮影時刻）の記録が必要な場合には現在時刻の算出を実行する。なお、時刻表示の要求がある状況はこれに限らず何れの場合も対象となるが、現在時刻のデータが必要となった場合に現在時刻の算出が実行される。
【００７９】
制御部４２は、現在時刻を、クレードル１１から受信した時刻データが示す時刻を基準時刻とし、この基準時間に対してタイマ４２ａによってカウントしている経過（例えば経過秒数）を加算することで現在時刻を算出する（ステップＢ８）。
【００８０】
制御部４２は、クレードル１１から受信した時刻データとタイマ４２ａによってカウントした値をもとにして算出した現在時刻を、表示部１８において表示させる。
【００８１】
こうして算出した現在時刻を表示部１８において継続して表示する場合には、制御部４２は、タイマ４２ａによってカウントされる値に応じて、順次、現在時刻を更新して表示する。
【００８２】
このようにして、第１実施形態では、クレードル１１にデジタルスチルカメラ１０が接続された場合に、クレードル１１からデジタルスチルカメラ１０に対して時刻データを送信し、デジタルスチルカメラ１０では、クレードル１１から時刻データを受信したタイミングでタイマ４２ａによりカウントを開始することで、クレードル１１からの時刻データが示す時刻とカウントされた値をもとに現在時刻を算出することができる。従って、デジタルスチルカメラ１０に時刻を計時するためのＲＴＣ用のＩＣや電波時計などを実装することなく、現在時刻のデータを使用することができるため、その部品分の機器の小型化、軽量化を図ることができ、またクレードル１１から提供された時刻データをもとにした正確な時刻をもとにした処理動作を実現できる。
【００８３】
（第２実施形態）  
次に、第２実施形態について説明する。  
第２実施形態では、クレードル１１に設けられたＲＴＣ５６（あるいは電波時計部５６ａ）により計時される時刻を利用して、デジタルスチルカメラ１０においてデータ受信機能、およびアラーム機能を実行する。
【００８４】
第２実施形態におけるクレードル１１の構成について、図６及び図７に示している。なお、図６及び図７は、主要な構成のみを示すもので、その他の構成については第１実施形態（図１、図３）と同じであるものとして説明する。
【００８５】
図６に示すクレードル１１には、ビデオデコーダ７０とチューナ７２がさらに追加されている。なお、ＣＰＵ５１ａは、制御部５１を構成するものである。
【００８６】
図６に示すクレードル１１では、外部アンテナ（図示せず）からＴＶ放送をチューナ７２により受信し、ビデオデコーダ７０を介して、デジタルスチルカメラ１０に映像や音声のデータを供給することができる。なお、図６において、第１実施形態と同様にしてＵＳＢを用いて映像や音声のデータを送信するようにしても良いし、別途、映像及び恩威の信号を送受信するための線を設けるようにしても良い。
【００８７】
図７に示すクレードル１１には、ネットワークコントローラ７４と記憶装置７６がさらに追加されている。
【００８８】
図７に示すクレードル１１では、ネットワークコントローラ７４を介して接続されるインターネットを通じて、例えばＴＣＰ（transmission control protocol）／ＩＰ（internet protocol）を使用して画像や音声のデータを取り込む機能を有している。ネットワークコントローラ７４により取り込んだ映像や画像のデータは、ＵＳＢインタフェース５２を通じてデジタルスチルカメラ１０に供給する。クレードル１１は、デジタルスチルカメラ１０が接続されていない場合には、大容量の記憶領域が設けられた記憶装置７６に映像や音声のデータを格納し、デジタルスチルカメラ１０が接続された場合に、記憶装置７６に格納した映像や音声のデータをＵＳＢインタフェース５２を通じて供給することができる。
【００８９】
なお、第２実施形態のクレードル１１は、図６と図７を組み合わせた構成とすることもできる。
【００９０】
次に、第２実施形態における動作について説明する。  
図８には、第２実施形態におけるデータ受信機能を実行する場合のクレードル１１とデジタルスチルカメラ１０における動作を説明するためのフローチャートを示している。
【００９１】
なお、図８に示すステップＣ１〜Ｃ４、ステップＤ１〜Ｄ３，Ｄ７については、図５に示すステップＡ１〜Ａ４、ステップＢ１〜Ｂ３，Ｂ１１と同様に実行されるものとして説明を省略する。また、デジタルスチルカメラ１０は、第１実施形態と同様にして、クレードル１１から受信した時刻データをもとにして現在時刻を算出し、例えば表示部５７において常時時刻情報を表示しておくことができるものとする。
【００９２】
また、デジタルスチルカメラ１０では、通常の使用時において、後述するアラーム機能に用いるアラーム情報が、メニューキー２０やリングキー２１に対する操作によって設定することができる。アラーム情報としては、起動時刻の他、起動要因の種類（例えば、後述する図９において示すスライドショー起動、録画起動などがある）を予め設定できるものとする。また、クレードル１１から受信される後述する番組表データをもとに設定される予約録画に関する情報、例えば録画対象とする番組、開始と終了の時刻、放送局（あるいはアドレス）などをアラーム情報に含めることもできる。
【００９３】
デジタルスチルカメラ１０は、クレードル１１から時刻データを受信して時刻管理機能による処理を実行すると共に（第１実施形態）、予め通常の使用時に設定されているアラーム情報をクレードル１１に送信する（ステップＤ４）。クレードル１１は、デジタルスチルカメラ１０から送信されたアラーム情報を受信して記憶しておく（ステップＣ５）。クレードル１１は、デジタルスチルカメラ１０から受信したアラーム情報をもとに、アラーム機能によって、次回、デジタルスチルカメラ１０を起動する（アラーム機能の動作についての詳細は後述する（図９））。
【００９４】
一方、クレードル１１は、番組表データをデジタルスチルカメラ１０に対して送信する（ステップＣ６）。なお、クレードル１１は、デジタルスチルカメラ１０が接続されていない場合などにおいて、予め外部（ＴＶ電波やインターネット）より番組表データを受信して記憶装置７６に記憶しているものとする。例えば、クレードル１１は、予め決められた所定の時刻（指定時刻、定期的な時刻など）となった場合に番組表データを受信して記録するものとする。
【００９５】
また、デジタルスチルカメラ１０に対して番組表データを送信する場合、ＲＴＣ５６が示す現在時刻以前を対象として番組表データについては送信しない。これにより、デジタルスチルカメラ１０において不要となるデータが記録されることを回避できる。
【００９６】
デジタルスチルカメラ１０は、クレードル１１から送信された番組表データをクレードル１１から受信して記憶しておく。この番組表データは、録画設定のために用いられる。例えば、デジタルスチルカメラ１０では、通常の使用時において、番組表データをもとに表示部５７において番組表を表示させ、その中から録画対象とする番組を指定させるなどして録画設定が行われる。録画設定は、前述したアラーム情報の起動要因（録画起動）、あるいは予約録画に関する情報としてクレードル１１に対して送信されることになる。なお、録画起動についての起動時刻は、録画設定された番組の開始時刻（あるいはその直前の時刻）となる。
【００９７】
次に、クレードル１１は、記憶装置７６に録画データが記録されていた場合に、この録画データをデジタルスチルカメラ１０に対して送信する（ステップＣ７）。例えば、クレードル１１は、デジタルスチルカメラ１０から予め予約録画に関する情報を受信している場合、その予約内容に応じて予約番組の映像及び音声のデータをチューナ７２またはネットワークコントローラ７４を通じて受信して記憶装置７６に記録している。クレードル１１は、予約録画してあるデータが記憶装置７６にある場合には、デジタルスチルカメラ１０が接続された時に、デジタルスチルカメラ１０に対して送信する。なお、予約録画が開始される時にデジタルスチルカメラ１０が接続され、起動された状態にある場合には、受信した映像及び音声のデータをそのままデジタルスチルカメラ１０に対して送信するようにしても良い。
【００９８】
デジタルスチルカメラ１０は、クレードル１１から送信されるデータを受信して、例えばフラッシュメモリ４８に記録しておく。
【００９９】
以上の処理が終わると、デジタルスチルカメラ１０は、ＰｏｗｅｒＯＦＦ状態になる。クレードル１１は、常時動作しており、デジタルスチルカメラ１０からのコマンド待機状態になる。
【０１００】
このようにして、第２実施形態のデータ受信機能では、クレードル１１からデジタルスチルカメラ１０に対する時刻データだけでなく、デジタルスチルカメラ１０からクレードル１１に対するアラーム情報の送信、クレードル１１からデジタルスチルカメラ１０に対する番組表データ、録画データの送信を実行して、それぞれにおいて記憶しておくことができる。
【０１０１】
次に、第２実施形態におけるアラーム機能について説明する。  
図９には、第２実施形態におけるアラーム機能を実行する場合のクレードル１１とデジタルスチルカメラ１０における動作を説明するためのフローチャートを示している。
【０１０２】
クレードル１１の制御部５１（ＣＰＵ５１ａ）は、ＲＴＣ５６（あるいは電波時計部５６ａ）によって計時される時刻が、アラーム情報によって指定された時刻となったかを常時判定している（ステップＥ１）。指定時刻になったと判定された場合（ステップＥ１、Ｙｅｓ）、制御部５１は、割り込み信号（ＩＮＴ）をデジタルスチルカメラ１０に対して出力（アサート）し、デジタルスチルカメラ１０を起動する（ステップＥ２）。また、クレードル１１は、起動要因を示すデータをデジタルスチルカメラ１０に対して送信する（ステップＥ３）。
【０１０３】
デジタルスチルカメラ１０は、クレードル１１からの割り込み信号（ＩＮＴ）に応じて起動し、また起動要因を示すデータを受信する（ステップＦ１）。デジタルスチルカメラ１０は、起動要因を示すデータに応じて処理を分岐させる。
【０１０４】
ここで、起動要因がスライドショー処理であった場合には、デジタルスチルカメラ１０は、スライドショー処理を実行する（ステップＦ３）。例えば、デジタルスチルカメラ１０は、フラッシュメモリ４８に記録されている静止画像を所定時間毎に切り替えながら表示する。
【０１０５】
また、起動運用員が録画であった場合、デジタルスチルカメラ１０は、デジタルスチルカメラ１０は、録画処理を実行する（ステップＦ４）。デジタルスチルカメラ１０は、クレードル１１の記憶装置７６に記録されていた映像及び音声のデータを受信して、例えばフラッシュメモリ４８に記録する。
【０１０６】
なお、起動要因については、前述したスライドショー処理、録画処理以外も対象とすることができ、その他の処理として実行することができる（ステップＦ５）。
【０１０７】
デジタルスチルカメラ１０は、所定の時間、起動要因に応じた処理を実行した後、ＰｏｗｅｒＯＦＦ状態になる。
【０１０８】
このようにして、第２実施形態のアラーム機能では、デジタルスチルカメラ１０において設定されたアラーム情報に応じて、クレードル１１に載置されたデジタルスチルカメラ１０を起動し、各種の起動要因に応じた処理を実行させることができる。これにより、デジタルスチルカメラ１０に正確な時刻を計時するＲＴＣなどが実装されていなくても、クレードル１１からの割り込みにより正確に起動させることが可能となる。
【０１０９】
また、アラーム情報の設定は、クレードル１１ではなく、デジタルスチルカメラ１０側で実行してクレードル１１に送信して設定できる。このため、デジタルスチルカメラ１０に設けられた表示部１８（液晶ディスプレイ）に、メニュー項目などを表示させながら設定することができる。クレードル１１に設けられた表示部５７の表示画面よりデジタルスチルカメラ１０に設けられた表示部１８の表示画面が大きい場合には、設定操作を容易にすることができる。また、デジタルスチルカメラ１０をクレードル１１に載置（接続）するだけで、アラーム情報がクレードル１１に対して送信されるので操作が非常に簡単である。
【０１１０】
また、デジタルスチルカメラ１０がクレードル１１に接続されていない場合において、予約録画の設定が予めデジタルスチルカメラ１０によってされている場合には、ＲＴＣ５６により計時される時刻をもとに予約録画が指定された番組の時刻になったことを判定し、チューナ７２あるいはネットワークコントローラ７４を通じて受信される番組（映像及び音声のデータ）を記憶装置７６に記録しておくことができる。また、クレードル１１の記憶装置７６に記録されたデータは、デジタルスチルカメラ１０がクレードル１１に載置されるだけで、デジタルスチルカメラ１０に送信されて記録される（データ受信機能）。
【０１１１】
また、デジタルスチルカメラ１０がクレードル１１と接続されていない時に、クレードル１１が番組表データを受信して記憶装置７６に記憶しておき、デジタルスチルカメラ１０が接続された時に、デジタルスチルカメラ１０に送信して記録させることができる。デジタルスチルカメラ１０では、特別な操作をすることなく、予約録画する場合などに利用される番組表データを簡単に取得することができる。また、クレードル１１からデジタルスチルカメラ１０に対して、現在時刻以前の番組表データが送信されないので、余分なデータが記録されることがない。
【０１１２】
さらに、アラーム情報としてクレードル１１に起動時刻及び起動要因を設定しておくことで、例えば起動要因として録画処理を設定しておけば、指定時刻となった時にクレードル１１からデジタルスチルカメラ１０を起動し、クレードル１１から送信される映像データ等をデジタルスチルカメラ１０に記録させることができる。また、起動要因としてスライドショー処理など各種の処理を設定しておくことで、指定時刻になった時に各種処理を実行させることができる。
【０１１３】
なお、前述した各実施形態の説明では、携帯電子機器としてデジタルスチルカメラ１０を対象としているが、携帯電話などの時刻を管理する機能を有し、クレードル（あるいは充電器）などの外部機器と接続可能なその他の携帯電子機器に対して本発明を適用することもできる。
【０１１４】
また、本発明は、前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階の発明が含まれており、開示される複数の構成要件における適宜の組み合わせにより種々の発明が抽出され得る。例えば、実施形態に示される全構成要件から幾つかの構成要件が削除されても、効果が得られるので有れば、この構成要件が削除された構成が発明として抽出され得る。
【０１１５】
また、前述した各実施形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。携帯電子機器を実現するコンピュータは、記録媒体に記録されたプログラムを読み込み、または通信媒体を介してプログラムを受信し、このプログラムによって動作が制御されることにより、上述した処理を実行する。
【図面の簡単な説明】
【０１１６】
【図１】本発明の実施の形態（第１実施形態、第２実施形態）に係るデジタルスチルカメラ１０を充電台を兼ねたクレードル１１に載置した状態の外観構成を示す図。
【図２】本発明の実施形態におけるデジタルスチルカメラ１０内の回路構成について説明するためのブロック図。
【図３】本発明の実施形態におけるクレードル１１内の回路構成について説明するためのブロック図。
【図４】本実施形態におけるクレードル１１に設けられるＲＴＣ５６の構成の一例を示すブロック図。
【図５】本発明の第１実施形態における時刻管理機能を実行する場合のクレードル１１とデジタルスチルカメラ１０における動作を説明するためのフローチャート。
【図６】本発明の第２実施形態におけるクレードル１１の構成について示すブロック図。
【図７】本発明の第２実施形態におけるクレードル１１の構成について示すブロック図。
【図８】本発明の第２実施形態におけるデータ受信機能を実行する場合のクレードル１１とデジタルスチルカメラ１０における動作を説明するためのフローチャート。
【図９】本発明の第２実施形態におけるアラーム機能を実行する場合のクレードル１１とデジタルスチルカメラ１０における動作を説明するためのフローチャート。
【符号の説明】
【０１１７】
１０…デジタルスチルカメラ、１１…クレードル、１２…電源キー、１３…シャッタキー、１４…モードキー、１５…光学ファインダ、１６…フォーカスインジケータ、１７…ストロボインジケータ、１８…表示部、１９…ズームキー、２０…メニュー（ＭＥＮＵ）キー、２１…リングキー、２２…セット（ＳＥＴ）キー、２３…ディスプレイ（ＤＩＳＰ）キー、２４…「ＰＨＯＴＯ」キー、２５…ＵＳＢキー、２６…充電インジケータ、２７…ＵＳＢインジケータ、３０…計時部、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…キー入力部、４７…ＪＰＥＧ回路、４８…フラッシュメモリ、４９…ＵＳＢインタフェース（Ｉ／Ｆ）、５０…ＵＳＢコネクタ、５１…制御部、５２…ＵＳＢインタフェース（Ｉ／Ｆ）、５３…充電制御部、５４…キー入力部、５５…インジケータ部、５６…記憶部、５７…表示部、５８…放音部、５９…計時部、６０…電波時計部、６０ａ…アンテナ、６１…ＵＳＢケーブル、６２…ＵＳＢコネクタ、６３，１３３…ＡＣコード、６４，１３４…ＡＣプラグ。
【図１】
2005140686.tif 000003
【図２】
2005140686.tif 000004
【図３】
2005140686.tif 000005
【図４】
2005140686.tif 000006
【図５】
2005140686.tif 000007
【図６】
2005140686.tif 000008
【図７】
2005140686.tif 000009
【図８】
2005140686.tif 000010
【図９】
2005140686.tif 000011